(57)【要約】【課題】糊への加熱を再開するタイミングを最適に設定し、連続する印刷製本ジョブに対しても生産性を低下させることなく糊の劣化を効果的に抑制することのできる技術を提供する。【解決手段】糊の温度とヒータにより加熱されて温度の糊を適温にするまでの時間を記憶する記憶部しておき、印刷製本ジョブに基づいて、印刷が完了するまでに要する残り印刷時間を算出し、現在の印刷製本ジョブの製本を完了し、後続に印刷製本ジョブが存在する場合、ヒータへの電力供給を一旦停止させ、電力供給を停止したときから所定時間経過したとき、ヒータへの電力供給を再開するように制御する。このとき、制御部は、残り印刷時間とヒータにより加熱されて糊を適温にするまでの時間とが等しくなるように所定時間を決定している製本装置である。【選択図】図４
2014073616.tif 000002
【特許請求の範囲】
【請求項１】
印刷装置に接続され、印刷と製本とを施す印刷製本ジョブに基づいて印刷部で印刷された記録媒体を糊で製本する製本装置において、
前記糊を加熱する加熱部と、
前記加熱部への電力供給を停止したときから所定時間経過したときの糊の温度を取得する取得部と、
糊の温度と前記加熱部により加熱されて該温度の糊を適温にするまでの時間を記憶する記憶部と、
前記印刷製本ジョブに基づいて、印刷が完了するまでに要する残り印刷時間を算出する時間算出部と、
現在の印刷製本ジョブの製本を完了し、後続に印刷製本ジョブが存在する場合、前記加熱部への電力供給を一旦停止させ、電力供給を停止したときから所定時間経過したとき、前記加熱部への電力供給を再開するように制御する制御部と、を備え、
前記制御部は、前記残り印刷時間と前記取得部が取得した温度に対応した前記記憶部に記憶された前記加熱部により加熱されて糊を適温にするまでの時間とが等しくなるように前記所定時間を決定している
ことを特徴とする製本装置。
【請求項２】
さらに、糊の温度を検出する温度検出部を備え、
前記取得部は、前記温度検出部により検出された温度に対応した前記記憶部に記憶された前記糊の温度を取得する
ことを特徴とする請求項１に記載の製本装置。
【発明の詳細な説明】
【技術分野】
【０００１】
本発明は、印刷装置に接続されて印刷と製本とを施すジョブに基づいて印刷装置の印刷部において印刷された記録媒体を糊で製本する製本装置に関する。
【背景技術】
【０００２】
従来より、印刷装置に後処理装置である製本装置を接続して、印刷装置にて印刷した記録媒体を束に糊付けする製本処理を施すことのできる印刷システムがある。このような印刷システムにおいては、所定の期間を超えてシステムが使用されない場合には、各装置を構成する要素に供給する電力を遮断しておくのが一般的である。各構成要素への電力供給が遮断されているときに、印刷や製本の処理を実行するよう指示が入力されると、各装置は、ウォームアップ動作を実行して動作可能な状態へと復帰し、印刷や製本等の処理を実行する。
【０００３】
図８は、従来における印刷システムによる各装置のウォームアップ動作を説明する図である。図８に示すように、各構成要素への電力供給が遮断されているときに印刷・製本を行う旨の指示が入力されると、印刷装置は、自装置及び接続されている製本装置に対してウォームアップを実行するよう指示する。製本装置は、印刷装置からの指示にしたがって、ウォームアップを実行する。製本装置は、動作可能な状態へと復帰すると、その状態を維持して、印刷装置において印刷が完了し、自装置において製本処理を実行可能となるまで待機する。
【０００４】
これに対して、画像形成装置に接続されている後処理装置のウォームアップと、画像形成装置における画像形成処理とを並行して実行するよう制御する技術について開示されている（例えば、特許文献１）。図９は、特許文献１に開示されている画像形成システムによる各装置の動作を説明する図である。図９に示すように、画像形成装置は、後処理装置のウォームアップが完了するまで待つことなく印刷処理を行うため、システム全体での作業効率が向上する。
【０００５】
また、複写機やプリンタ等の画像形成装置において、各部の動作タイミングに応じて電力を供給するタイミングや電力の供給を終了するタイミングを制御することにより、電力消費の無駄を抑制する技術について開示されている（例えば、特許文献２）。特許文献２に開示されている技術によれば、すぐには使用しない構成要素については電力を遮断しておくことにより、電力消費の無駄を低減させて糊の劣化を防止することは可能である。
【先行技術文献】
【特許文献】
【０００６】
【特許文献１】特開２００５−３３８９９９号公報
【特許文献２】特開２０１０−２６０１２号公報
【発明の概要】
【発明が解決しようとする課題】
【０００７】
しかし、特許文献２では、後続の（２番目以降の）製本処理をする場合、製本装置の構成要素の一つである加熱部を糊の特性に応じてどのように制御するかについては具体的に記載されていない。このため、加熱部への電力供給を単に停止させても、次の製本処理を開始するまでに糊を所定の温度まで加熱しておかなければならないので、加熱部への電力供給を再開するタイミングが遅れてしまうと、後続の製本処理の生産性が低下してしまうこととなる。
【０００８】
本発明は、糊を加熱する加熱部への電力供給を一旦停止させた場合、糊の特性に応じて加熱部への電力供給を再開するタイミングを最適に設定し、連続する印刷製本ジョブに対しても、生産性を低下させることなく、糊の劣化を効果的に抑制することのできる技術を提供することを目的とする。
【課題を解決するための手段】
【０００９】
本発明の製本装置の第１の特徴は、印刷装置に接続され、印刷と製本とを施す印刷製本ジョブに基づいて印刷部で印刷された記録媒体を糊で製本する製本装置において、前記糊を加熱する加熱部と、前記加熱部への電力供給を停止したときから所定時間経過したときの糊の温度を取得する取得部と、糊の温度と前記加熱部により加熱されて該温度の糊を適温にするまでの時間を記憶する記憶部と、前記印刷製本ジョブに基づいて、印刷が完了するまでに要する残り印刷時間を算出する時間算出部と、現在の印刷製本ジョブの製本を完了し、後続に印刷製本ジョブが存在する場合、前記加熱部への電力供給を一旦停止させ、電力供給を停止したときから所定時間経過したとき、前記加熱部への電力供給を再開するように制御する制御部と、を備え、前記制御部は、前記残り印刷時間と前記取得部が取得した温度に対応した前記記憶部に記憶された前記加熱部により加熱されて糊を適温にするまでの時間とが等しくなるように前記所定時間を決定していることである。
【００１０】
本発明の製本装置の第２の特徴は、糊の温度を検出する温度検出部を備え、前記取得部は、前記温度検出部により検出された温度に対応した前記記憶部に記憶された前記糊の温度を取得することである。
【発明の効果】
【００１１】
本発明に係る製本装置の第１の特徴によれば、製本が完了し、後続に印刷製本ジョブが存在するとき、加熱部への電力供給を一旦停止させる。そして、記憶部に記憶させた加熱部による加熱を停止してからの残り印刷時間（印刷完了所要時間）と加熱部への電力供給を再開して加熱したときに糊が適温になる時間とが等しくなるとき、加熱部への電力供給を再開する。
【００１２】
加熱部への電力供給を一旦停止させることにより、糊が加熱され続けて劣化が進むことを抑える。これとともに、糊の特性情報から求めた糊が再度適温になるまで加熱するのに必要な時間と、印刷装置において実行中の印刷処理が完了する時間とを比較して、印刷が完了するまでには糊が適温となっているよう、適切なタイミングで加熱部への電力供給を再開する。これにより、生産性を低下させることなく、糊の劣化を効果的に抑制する。
【００１３】
本発明に係る製本装置の第２の特徴によれば、糊の温度を検出する温度検出部を備え、取得部は、温度検出部により検出された温度に対応した記憶部に記憶されている糊の温度を取得するので、より適切なタイミングで加熱部への電力供給を再開できる。
【図面の簡単な説明】
【００１４】
【図１】第１の実施形態に係る印刷システムの構成図である。
【図２】第１の実施形態に係る印刷システムが印刷製本ジョブに基づき印刷及び製本の処理を実行した場合の、各段階における印刷装置及び製本装置の状態を示す図である。
【図３】第１の実施形態に係る製本装置が保持する時間テーブルの構造例を示す図である。
【図４】第１の実施形態に係る印刷システムによる印刷製本実行時の処理を示したフローチャートである。
【図５】第２の実施形態に係る印刷システムの構成図である。
【図６】第２の実施形態に係る製本装置が保持する時間テーブルの構造例を示す図である。
【図７】第２の実施形態に係る印刷システムによる印刷製本実行時の処理を示したフローチャートである。
【図８】従来における印刷システムによる各装置のウォームアップ動作を説明する図である。
【図９】特許文献１に開示されている画像形成システムによる各装置の動作を説明する図である。
【発明を実施するための形態】
【００１５】
以下、本発明の実施の形態について、図面を参照して詳細に説明する。
＜第１の実施形態＞
図１は、本実施形態に係る印刷システムの構成図である。図１に示す印刷システム１０は、印刷装置２と製本装置３とを有し、印刷装置２で印刷を施した記録媒体を、製本装置３にて製本する。
【００１６】
印刷装置２は、図１においては不図示の情報処理装置と接続される。情報処理装置としては、例えばパーソナルコンピュータ（以下ＰＣとする）を使用する。印刷装置２は、印刷システム１０において印刷及び製本の処理を実行する旨の指示をＰＣから受けると、これにしたがって所定の用紙等の記録媒体に印刷処理を施す。印刷装置２は、印刷処理が完了した記録媒体については、接続する製本装置３のスタック３６に渡していく。製本装置３は、印刷装置２から排出されて自装置のスタック２６に収納される記録媒体に対し、製本処理を施す。
【００１７】
印刷システム１０を構成する印刷装置２及び製本装置３の構成について説明する。
印刷装置２は、印刷部２１と通信部２２とを有する。このうち、印刷部２１は、ＰＣから入力される印刷製本ジョブに基づき、記録媒体に対して印刷を施す。印刷処理を施した記録媒体は順次製本装置３のスタック３６に排出してゆく。通信部２２は、印刷製本ジョブの実行にかかわる各種情報等を製本装置３の通信部３１との間で送受する。
【００１８】
製本装置３は、通信部３１、ヒータ３２、記憶部３４、制御部３５、スタック３６及び製本部３７を有する。
スタック３６は、上記のとおり、印刷部２１において印刷処理の施された記録媒体を収納する。
【００１９】
製本部３７は、印刷製本ジョブに基づき、スタック３６に収納されている記録媒体に対して製本処理を実行する。
ヒータ３２は、製本部３７が製本処理に利用する糊を加熱するために設けられる。
【００２０】
記憶部３４は、ヒータ３２により加熱される糊の特性に関する情報を記憶する。具体的には、製本に使用する糊の温度と、ヒータ３２により糊を加熱して製本に適した所定の温度にするまでに要する時間とを互いに対応付けた時間テーブルを糊の特性情報として記憶している。時間テーブルの構造については、図３を参照して説明する。
【００２１】
通信部３１は、印刷装置２の通信部２２との間で、印刷製本ジョブの実行にかかわる各種情報を送受する。
制御部３５は、時間算出部５２、時間比較部５３、計測部５４、取得部（図示なし）を有し、製本装置３の各構成要素の制御を行い、例えば、ヒータ３２への電力供給の制御を行う。
【００２２】
制御部３５のうち、時間算出部５２は、記憶部３４に記憶している情報から、糊を適温にするまでの所要時間を求めるとともに、印刷装置２の印刷部２１が、実行中の印刷処理を完了させるまでに要する残り時間を表す印刷完了所要時間を算出する。
【００２３】
実施例では、印刷完了所要時間とは、ヒータ３２への電力供給を停止させた時間から記録媒体に印刷処理を施して製本開始可能になるまでの時間をいい、印刷処理に伴い減少していく時間をいうものとする。
【００２４】
つまり、ヒータ３２への電力供給を停止させた時間の印刷完了所要時間は印刷製本ジョブを実行するときの最大時間であり、印刷完了所要時間が最小になったときが製本を開始する時間である。本実施形態では、印刷完了所要時間は、計測部５４が計測したヒータ３２への電力供給を停止させた時点からの経過時間を減算することにより減少する。
【００２５】
また、制御部３５は、製本完了検出部（図示なし）から製本が完了したことを検出したことを取得する。
時間比較部５３は、時間算出部５２が求めた２つの時間の比較を行う。制御部３５は、時間比較部５３の比較結果に基づいて、ヒータ３２への電力供給を制御する。
【００２６】
計測部５４は、ヒータ３２への電力供給が停止した時点からの時間を計測する。
取得部は、時間テーブルの温度を参照する際に用いるための糊の温度を取得する。
以下に、本実施形態に係る印刷システム１０においてヒータ３２への電力供給を制御する方法について、具体的に説明する。
【００２７】
図２は、本実施形態に係る印刷システム１０が印刷製本ジョブに基づき印刷及び製本の処理を実行した場合の、各段階における印刷装置２及び製本装置３の状態を示す図である。図２を参照して、本実施形態に係る印刷システム１０が、製本装置３のヒータ３２への電力供給を制御してヒータ３２のオン／オフを切り替えるタイミングについて説明する。
【００２８】
図２においては、上段には、印刷装置２の状態を、下段には、製本装置３の状態をそれぞれ示す。
また、図２においては、初め、印刷システム１０の印刷装置２及び製本装置３の各構成要素への電力供給が停止されている場合を例示する。印刷装置２及び製本装置３がそれぞれの構成要素への電力供給を停止しているときに、印刷装置２に新たに印刷製本ジョブが入力されると、ウォームアップ動作を開始する。
【００２９】
ここで、一般的には、印刷装置２は製本装置３よりもウォームアップに要する時間が短い。このため、図２においては、印刷装置２の方が先にウォームアップ動作が完了し、印刷装置２は、製本装置３のウォームアップが完了するのを待たずに、先に印刷処理を開始している。
【００３０】
製本装置３は、ヒータ３２を含む各構成要素のウォームアップ動作を実行し、動作可能な状態になると、印刷装置２における印刷処理が完了して全ての記録媒体がスタック３６に収納されるのを待ち受ける。製本装置３は、スタック３６に全ての記録媒体が収納されると、製本処理を開始する。
【００３１】
ここで、製本装置３は、前述のような印刷完了所要時間が最小になることで、印刷が完了して製本が開始できる状態を把握する。
なお、図２においては、ある印刷製本ジョブにより実行される印刷処理及び製本処理を、それぞれ「印刷（ｉ）」及び「製本（ｉ）」（ｉ＝１、２、…）と表し、括弧内の数字が一致する場合は、印刷処理及び製本処理が相互に対応する処理であることを示す。
【００３２】
製本装置３は、印刷（１）が完了してスタックに存在している記録媒体に対して製本（１）の処理を施す。
図２に示す例では、印刷システム１０には、実行すべき印刷製本ジョブを２つ有している。
【００３３】
この場合、製本装置３は、最初（ｉ＝１）の印刷製本ジョブに基づき製本（１）の処理を終了すると、後続の製本（２）の処理を実行するまでにヒータ３２をオフにしておくことができるか否かを判断する。
【００３４】
図２においては、ヒータ３２をオフにしておくことができると判断し、一旦ヒータ３２への電力供給を停止させている。
そして、製本（２）の処理を実行開始するタイミングを判断して、ヒータ３２への電力供給を再開している。
【００３５】
ヒータ３２への電力供給の再開タイミングは、印刷（２）の処理が完了し、製本装置３が製本（２）の処理を開始するまでに、糊が製本処理に使用可能な温度になっているよう制御される。
【００３６】
このように、本実施形態に係る印刷システム１０では、製本装置３が、後続の印刷製本ジョブがあるときに、ヒータ３２をオフに切り替えると、次の製本処理までに糊が使用可能な状態となっているようタイミングを制御してヒータ３２を再びオンに切り替える。次の製本処理が開始されるタイミングは、後続の印刷製本ジョブに含まれる印刷完了所要時間より判断する。
【００３７】
ヒータ３２をオフにした後、再度オンに切り替えて糊の加熱を再開した場合に糊を適温にするために必要な時間は、製本装置３の記憶部３４に記憶する時間テーブルに基づき求める。
【００３８】
まず、記憶部３４に記憶する時間テーブルについて、図３を参照して説明する。
図３は、本実施形態に係る製本装置３が保持する時間テーブルの構造例を示す図である。
【００３９】
図３に示す時間テーブルにおいては、「糊の温度」、「ヒータをオンにしてから適温になるまでの時間」（以下、糊が適温になるまでの時間）及び「ヒータをオフにしてからの経過時間」が互いに対応付けられている。
【００４０】
「糊が適温になるまでの時間」は、対応する「糊の温度」にある糊をヒータ３２で加熱した場合に、糊が適温になるまでに要する時間を表す。
「糊の温度」は、製本装置３のヒータ３２により加熱され、製本に利用される糊の温度を表す。
【００４１】
「ヒータをオフにしてからの経過時間」は、制御部３５によりヒータ３２がオフにされてから経過した時間を表す。
糊の適温が何度か、ある温度の糊が適温になるまでに要する時間等については、糊の種類やヒータ３２等の製本装置３の仕様等により決まる。
【００４２】
実施例では、糊の温度ごとに、糊が適温になるまでの所要時間を測定する等により求めて、図３に示す時間テーブルを作成し、予め、記憶部３４に時間テーブルを記憶させておく。
【００４３】
なお、ヒータ３２をオフにして糊への加熱を止めた場合、通常は、時間の経過に伴い糊の温度は低下してゆく。
すなわち、ヒータ３２をオフにしてからの経過時間は、糊の温度変化と関連性を有している。
【００４４】
このことから、「糊の温度」と「糊が適温になるまでの時間」との関係は、「ヒータ３２をオフにしてからの経過時間」と「糊が適温になるまでの時間」との関係に置き換えてもよい。
【００４５】
そこで、本実施形態においては、ヒータ３２をオフにした後の経過時間と糊の温度との関係を予め測定等により求めて、図３に例示するような時間テーブルを作成しておく。
本実施形態においては、図３の時間テーブルにより、糊の温度と糊を適温にするまでの時間とが、ヒータ３２をオフにしてからの経過時間を通じて対応付けられているということができる。
【００４６】
時間算出部５２は、印刷処理をしている間に図３の時間テーブルを参照して、経過時間に対応した糊が適温になるまでの時間を求める。
このように、本実施形態に係る印刷システム１０は、製本装置３が処理中のジョブに対して後続の印刷製本ジョブが存在する場合に、図３の時間テーブルを参照して、ヒータ３２への電力供給の制御を実行する。
【００４７】
次に、図４を参照して、本実施形態に係る印刷システム１０が印刷製本ジョブを実行するときに、製本装置３のヒータ３２への電力供給を制御する方法について具体的に説明する。
【００４８】
図４は、本実施形態に係る印刷システム１０による印刷製本実行時の処理を示したフローチャートである。
印刷システム１０は、ＰＣ等から印刷製本ジョブを受け取ると、印刷処理を開始する
印刷装置２において印刷処理が完了し、製本装置３のスタック３６に記録媒体が収納されて、製本装置３において製本処理が開始すると、図４に示す一連の処理を開始する。
【００４９】
まず、ステップＳ１で、印刷装置２は、後続する印刷製本ジョブの有無を判定する。
これから実行しようとする印刷製本ジョブの後に、更に実行すべき印刷製本ジョブが存在する場合は、ステップＳ２へと処理を移行させる。
更に実行すべき印刷製本ジョブが存在しない場合は、通信部２２を介してその旨を製本装置３に通知して、ステップＳ１４へと処理を移行させる。
【００５０】
ステップＳ１４で、製本装置３の制御部３５は、製本部３７において処理中の印刷製本ジョブに基づく製本処理が完了するのを待機する。
印刷製本ジョブが存在しない状態で製本処理が完了すると、ステップＳ１５に進み、制御部３５は、ヒータ３２への電力供給を停止させ、処理を終了する。
【００５１】
一方、製本装置３が現在の印刷製本ジョブに基づく製本処理を実行している間に、新たな印刷製本ジョブが入力された旨の通知を印刷装置２から受けた場合は、ステップＳ１に戻る。
【００５２】
ステップＳ２へと処理を移行すると、印刷装置２の印刷部２１は、後続の印刷製本ジョブに基づき印刷処理を開始する。
製本装置３は、通信部３１を介して印刷装置２の通信部２２からその旨の通知を受信することにより、印刷装置２において後続の印刷製本ジョブに基づく印刷処理を開始したことを認識する。
【００５３】
なお、印刷装置２が後続の印刷製本ジョブの印刷処理を実行する一方で、製本装置３は、現在の印刷製本ジョブに基づき、製本処理を実行中である。
ステップＳ３では、製本装置３の制御部３５は、製本部３７において、実行中の印刷製本ジョブに基づく製本処理が完了したか否かを判定する。
【００５４】
制御部３５は、ステップＳ３において、製本処理が完了するのを待機し、製本完了検出部が、製本処理が完了した旨を示す製本完了信号を検出すると、処理をステップＳ４へと移行させる。なお、本実施形態では、製本完了検出部が製本を完了したことを製本完了信号を取得することにより検出しているが、製本装置３が時間を測定し、予め算出した製本完了までの時間を測定することで、製本を完了したことを検出するようにしてもよい。
【００５５】
ステップＳ４では、製本装置３の制御部３５は、印刷装置２において後続の印刷製本ジョブの印刷処理を実行中であるか否かを判定する。
ステップＳ４については、スタック３６に未だ全ての記録媒体が収納されていない場合には、印刷装置２において印刷処理を実行中であると判定する。
【００５６】
印刷装置２において後続の印刷製本ジョブの印刷処理を実行中である（ステップＳ４でＹＥＳ）場合は、ステップＳ５に進み、印刷装置２において印刷処理が完了している（ステップＳ４でＮＯ）場合は、ステップＳ１２へと処理を移行させる。
【００５７】
ステップＳ５では、製本装置３の制御部３５は、ヒータ３２への電力供給を停止させる。
そして、ステップＳ６では、製本装置３の制御部３５のうちの時間算出部５２が、後続の印刷製本ジョブに含まれる印刷完了所要時間を取得し、ステップＳ７に進む。
【００５８】
なお、ステップＳ６においては、時間算出部５２が、通信部３１を介して印刷装置２の通信部２２と通信を行う等により、印刷完了所要時間を取得する。
ステップＳ７では、製本装置３の制御部３５のうちの時間算出部５２は、ステップＳ５において計測部５４が計測したヒータ３２への電力供給を停止させてからの経過時間に基づいて、図３の時間テーブルを参照して、糊の温度情報を取得する。
【００５９】
ステップＳ８では、時間算出部５２は、ステップＳ７で取得した糊の温度情報が表す「糊の温度」に対応する「糊が適温になるまでの時間」を、図３の時間テーブルから算出して、ステップＳ９に進む。
【００６０】
ステップＳ９では、時間算出部５２は、ステップＳ６で取得した印刷完了所要時間から、ステップＳ５でヒータ３２への電力供給を停止させてからの経過時間分を減算して、印刷完了所要時間を更新する。
【００６１】
ステップＳ１０では、製本装置３の制御部３５のうちの時間比較部５３が、ステップＳ９で更新した印刷完了所要時間と、ステップＳ８で求めた糊が適温になるまでの時間とを比較し、互いに等しいか否かを判定する。
【００６２】
互いに等しくない場合は、ステップＳ７に戻る。
比較を繰り返した結果、印刷完了所要時間と糊が適温になるまでに要する時間とが等しい場合は、ステップＳ１１に進む。
【００６３】
ステップＳ１１では、製本装置３の制御部３５は、ヒータ３２への電力供給を再開する。
ステップＳ１２では、制御部３５は、糊が適温になり、且つ、印刷装置２において実行していた後続の印刷製本ジョブに基づく印刷処理が完了するまで待機する。
【００６４】
糊が適温になり、後続の印刷製本ジョブに基づく印刷処理が完了すると、処理をステップＳ１３へと移行させる。
ステップＳ１３では、製本装置３の制御部３５は、製本部３７において後続の印刷製本ジョブに基づく製本処理を開始するよう制御を行うと処理を終了する。
【００６５】
ステップＳ７及びステップＳ８においては、ヒータ３２への電力供給を停止してからの経過時間より、糊の温度を求め、求まる糊の温度に対応する「糊が適温になるまでの時間」を算出しているが、糊が適温になるまでの時間の算出の仕方はこれには限らない。
【００６６】
例えば、図３の時間テーブルには、ヒータ３２への電力供給を停止してからの経過時間と糊が適温になるまでの時間とのみを互いに対応付けておき、時間テーブルの経過時間に対応する「糊が適温になるまでの時間」を直接取得する構成としてもよい。
【００６７】
また、変形例として、ステップＳ７〜ステップＳ１０においては、糊が適温になるまでの時間及び印刷完了所要時間の算出や比較を繰り替えし実行しているが、これには限定されない。
【００６８】
例えば、図３のような時間テーブルのうち、「ヒータをオフにしてからの経過時間」及び「適温になるまでの時間」の合計時間が、ステップＳ６で取得した印刷完了所要時間に最も近くなる行を検索する。
【００６９】
そして、検索により該当する行の「ヒータをオフにしてからの経過時間」を取得するとともに、計測部５４により時間の計測を開始し、「計測された経過時間」と取得した行の「ヒータをオフにしてからの経過時間」とを比較する。
【００７０】
「計測された経過時間」と「ヒータをオフにしてからの経過時間」とが等しくなったときに、すなわち、印刷完了所要時間からヒータをオフにしてからの経過時間を減算した印刷完了所要時間と適温になるまでの時間とが等しくなったとき、ヒータ３２への電力供給を再開する構成とすることもできる。
【００７１】
つまり、このような構成の場合、時間テーブルを随時参照する必要がなく、ヒータをオフにした時点で、自動的にヒータ３２への電力供給を再開するタイミングを取得して、上記と同様に、ヒータ３２をオフからオンに切り替えるタイミングを適切に決定することが可能である。
【００７２】
上記のように、ヒータ３２への電力供給を一旦停止させることより、製本装置３において印刷装置２側の印刷処理が完了するのを待機している間に糊の劣化が進むことを抑える。
【００７３】
そして、時間テーブルを参照して再度加熱して糊が適温になるまでの時間を求め、糊が適温になるまでの時間と、印刷装置２にて実行している後続の印刷製本ジョブに基づく印刷完了所要時間とに基づき、印刷が完了するときに糊が適温となるよう適切なタイミングでヒータ３２への電力供給を再開する。
【００７４】
これにより、生産性を低下させることなく、糊の劣化を効果的に抑制できる。
＜第２の実施形態＞
上記の実施形態においては、時間テーブルには、「糊の温度」、「糊が適温になるまでの時間」及び「ヒータをオフにしてからの経過時間」を対応付けて格納しておく。
【００７５】
そして、計測部５４がヒータ３２をオフにしてからの経過時間を計測しておき、経過時間に対応する糊が適温になるまでの時間を時間テーブルより求めている。
これに対し、本実施形態においては、糊の温度を検出する温度検出部３３を設けるとともに、検出した糊の温度と、糊が適温になるまでの時間とを対応付けてテーブルに格納しておく。
【００７６】
そして、時間テーブルより、糊の温度を検出する手段において検出した温度に対応する糊が適温になるまでの時間を求める点で異なる。
以下に、第１の実施形態と異なる点を中心に、本実施形態に係る印刷システムによるヒータ３２への電力供給の制御方法について、具体的に説明する。
【００７７】
図５は、本実施形態に係る印刷システムの構成図である。
図５に示す印刷システム１０は、図５の第１の実施形態に係る印刷システムと比較して、温度検出部３３を更に備えている点で異なり、他の構成については、上記と同様である。
【００７８】
温度検出部３３は、糊の温度を検出し、実施例では、温度センサ等を使用する。
図６は、本実施形態に係る製本装置３が保持する時間テーブルの構造例を示す図である。
【００７９】
図６に示す時間テーブルは、「糊の温度」及び「適温になるまでの時間」が互いに対応付けられている。
製本装置３の時間算出部５２は、温度検出部３３から糊の温度を取得し、取得した糊の温度に対応する糊を適温にするまでに要する時間を、図６の時間テーブルから算出し、時間比較部５３が取得した時間を印刷製本ジョブより求まる印刷完了所要時間と比較する。
【００８０】
制御部３５は、比較に基づき、後続の印刷製本ジョブに基づく印刷処理が完了するときまで、すなわち、製本装置３が次の製本処理を開始するときまでにヒータ３２の再開処理が完了できているよう、ヒータ３２をオンにするタイミングを制御する。
【００８１】
図７は、本実施形態に係る印刷システム１０による印刷製本実行時の処理を示したフローチャートである。
第１の実施形態と同様に、印刷システム１０は、ＰＣ等から印刷製本ジョブを受け取ると、印刷装置２において印刷処理を開始する。
【００８２】
そして、印刷処理が完了して、記録媒体が製本装置３のスタック３６に収納されると、図７に示す一連の処理を開始する。
ステップＳ２１〜ステップＳ２６の処理については、それぞれ図４のステップＳ１〜ステップＳ６の処理と同様である。また、ステップＳ３４、ステップＳ３５も図４のステップＳ１４、ステップＳ１５と同様である。
【００８３】
ステップＳ２７では、時間算出部５２は、温度検出部３３から、糊の温度を取得する。
そして、ステップＳ２８では、時間算出部５２は、記憶部３４の時間テーブルより、ステップＳ２７で取得した温度の糊が適温になるまでの時間を求める。
ステップＳ２９以降の処理については、図４のステップＳ９以降の処理と同様である。
【００８４】
以上説明したように、本実施形態に係る印刷システム１０のように、糊の温度と糊が適温になるまでの時間との関係を求めておき、これに基づき時間テーブルを作成しておく構成をとる場合であっても、上記の実施形態と同様の効果を奏する。
【００８５】
なお、上記の第１及び第２の実施形態においては、製本装置３において時間テーブルを記憶させておき、製本装置３が、保持する時間テーブルより糊が適温になるまでの時間を求めて、印刷装置２において実行中の後続の印刷製本ジョブに基づく印刷処理が完了する印刷完了所要時間と比較して、これによりヒータ３２への電力供給を制御している。
【００８６】
しかし、本発明は、かかる構成に限定されるものではない。
この他にも、本発明は、本発明の要旨を逸脱しない範囲内で、種々の改良及び変更が可能である。例えば、前述の各実施形態に示された全体構成からいくつかの構成要素を削除してもよく、更には各実施形態の異なる構成要素を適宜組み合わせてもよい。
【符号の説明】
【００８７】
２      印刷装置
３      製本装置
１０    印刷システム
２１    印刷部
２２    通信部
３１    通信部
３２    ヒータ
３３    温度検出部
３４    記憶部
３５    制御部
３６    スタック
３７    製本部
５２    時間算出部
５３    時間比較部
５４    計測部
【図１】
2014073616.tif 000003
【図２】
2014073616.tif 000004
【図３】
2014073616.tif 000005
【図４】
2014073616.tif 000006
【図５】
2014073616.tif 000007
【図６】
2014073616.tif 000008
【図７】
2014073616.tif 000009
【図８】
2014073616.tif 000010
【図９】
2014073616.tif 000011